(57)【特許請求の範囲】
【請求項１】
アッパー（２）を含む靴（１）であって、
前記アッパー（２）は少なくとも部分的に編地から成り、前記アッパー（２）は、締め紐（４）によって着用者の脚において前記靴（１）の紐を結ぶことを可能にするように、前記締め紐（４）を通すための複数のループ（３）を有し、
前記ループ（３）の少なくとも一部は編地から成り、前記ループ（３）は前記締め紐（４）の通路（８）を形成する管状体の形状を有し、
前記アッパー（２）の前記編地および前記ループ（３）の前記編地は単体編み構造を形成し、
前記ループ（３）は、前記編み構造によってのみ前記アッパー（２）の前記編地と連結されて結び力を伝えられる
ことを特徴とする靴。
【請求項２】
前記ループ（３）の少なくとも一部は、前記締め紐（４）を受けるための前記管状体を形成する外径（Ｄ）および内径（ｄ）を有し、前記管状体は前記外径（Ｄ）の少なくとも１００％である長さ（ｃ）を有する
請求項１に記載の靴。
【請求項３】
前記長さ（ｃ）は、前記外径（Ｄ）の少なくとも１５０％である
請求項２に記載の靴。
【請求項４】
前記ループ（３）の前記管状体は軸方向（ａ）を有し、前記軸方向（ａ）は、前記靴（１）の縦方向（Ｌ）に配向される、または３０度を下回る、好ましくは２５度を下回る、前記縦方向（Ｌ）に対する角度（α）を成す
請求項１ないし３のいずれかに記載の靴。
【請求項５】
いくつかのループ（３）は同じ軸方向（ａ）を有するように配置される
請求項１ないし４のいずれかに記載の靴。
【請求項６】
前記ループ（３）は、前記軸方向（ａ）に垂直に測定される距離（ｂ）で互いに引き離され、前記距離（ｂ）は２ｍｍ〜２５ｍｍである
請求項４または５に記載の靴。
【請求項７】
前記アッパー（２）の前記編地は前記ループ（３）を支える単一層を形成する
請求項１ないし６のいずれかに記載の靴。
【請求項８】
前記アッパー（２）の編地は少なくとも２つの層（５、６）を有し、上層（５）は前記ループ（３）を支える
請求項１ないし７のいずれかに記載の靴。
【請求項９】
前記上層（５）より下の前記層（６）は前記上層（５）と連結されるが、前記ループ（３）と接触しない
請求項８に記載の靴。
【請求項１０】
前記アッパー（２）の糸はポリエステルまたはポリアミドから成る
請求項１ないし９のいずれかに記載の靴。
【請求項１１】
前記ループ（３）の糸はポリエステルまたはポリアミドから成る
請求項１ないし１０のいずれかに記載の靴。
【請求項１２】
前記アッパー（２）および前記ループ（３）の糸は、少なくとも１つの性質が異なっている
請求項１ないし１１のいずれかに記載の靴。
【請求項１３】
前記アッパー（２）および前記ループ（３）の前記糸は異なる色を有する
請求項１２に記載の靴。
【発明の詳細な説明】
【技術分野】
【０００１】
本発明は、アッパーを含む、靴、特に、運動靴であって、アッパーは少なくとも部分的に編地から成り、アッパーは、締め紐によって着用者の脚において靴の紐を結ぶことを可能にするように、締め紐を通すための複数のループを有し、ループの少なくとも一部は編地から成り、ループは締め紐の通路を形成する管状体の形状を有する靴に関する。
【背景技術】
【０００２】
靴、特に、運動靴の通常の紐締め具は、アッパーと連結される、またはアッパーの一部である紐結び用ストリップに配置されるループを有する。ループは靴のタン近くに配置される。
【０００３】
よって、着用者の脚の個々の形状に対して紐締めまたは紐結びを適応させる靴の能力は限られている。個々の要求を通常は満たすことができない。これによって、靴のはまり具合が緩くなり得る、または着用者の脚における圧迫痕をもたらし得る。
【０００４】
一般的な種類の靴は特許文献１に示されている。同様の解決策は、特許文献２および特許文献３に開示されている。
【先行技術文献】
【特許文献】
【０００５】
【特許文献１】欧州特許出願公開第３１１４９５１号
【特許文献２】米国特許出願公開第２０１６／０３０２５２４号
【特許文献３】米国特許出願公開第２００８／０１１００４８号
【発明の概要】
【発明が解決しようとする課題】
【０００６】
本発明の目的は、着用者の脚において靴の紐締めまたは紐結びをまさに個々に容易かつ効率的に調節可能にする、靴、特に運動靴を提案することである。
【課題を解決するための手段】
【０００７】
本発明によるこの目的の解決策は、アッパーの編地およびループの編地は単体編み構造を形成し、ループは、編み構造によってのみアッパーの編地と連結可能であり、かつ、（例えば、アッパー上にまたはアッパーに配置される引張ストランドのような）結び力を伝えるためのいずれの手段もないことを特徴とする。
【０００８】
ループの少なくとも一部は、締め紐を受けるための管状体を形成する外径および内径を有することができ、管状体は、外径の少なくとも１００％である長さを有する。好ましくは、この長さは、外径の少なくとも１５０％、具体的には少なくとも２００％である。それぞれのループは複数の糸の編み段から成る。
【０００９】
ループの管状体は軸方向を有することができ、この軸方向は、靴の縦方向に配向される、または３０度を下回る、好ましくは２５度を下回る、縦方向に対する角度を成す。しかしながら、このループの向きは必須ではない。縦方向に最大９０度まで（すなわち、縦方向に垂直）の別の角度の下でループを向けることも可能である。
【００１０】
好ましくは、いくつかのループは同じ軸方向を有するように配置される。
【００１１】
ループは好ましくは、軸方向に垂直に測定される距離で互いに引き離され、この距離は２ｍｍ〜２５ｍｍである。
【００１２】
アッパーの編地はループを支える単一層を形成することができる。
【００１３】
代替的な実施形態によって、アッパーの編地は少なくとも２つの層を有し、上層はループを支える。この場合、上層より下の層が上層と連結されるが、ループと接触しないようにすることができる。
【００１４】
本発明の好ましい実施形態によると、アッパーの糸は、ポリエステルまたはポリアミドから成るまたはこれらを含むことが可能である。また、ループの糸は、ポリエステルまたはポリアミドから成るまたはこれらを含むことが可能である。当然ながら、他の種類の糸も適している。
【００１５】
アッパーおよびループの糸は、少なくとも１つの（物理的）性質が異なっている可能性がある。具体的には、アッパーおよびループの糸は異なる色を有することができる。当然ながら、アッパーおよびループに同じ糸を使用することも可能である。
【００１６】
提案された概念によって、個々の要求に従って選択可能である締め紐を通すための複数のループを提供することができる。締め紐のループは、アッパーのかなり広い範囲に沿って分布しており、それによって、使用者は自身の個々の要求に従って必要とされるループを選択できる。そのため、靴の紐締めまたは紐結びは、着用者の脚の形状に完璧に適応させることができるだけでなく、運動および具体的なトレーニング状況のタイプに左右される具体的な要求を考慮に入れることも可能である。
【００１７】
具体的には、横または前方の動きに対して靴を固定する、またはかかと領域においてさらに保持されるように、着用者の脚において靴の紐を結ぶことは、具体的なタイプの運動またはトレーニング状況にも可能である。
【００１８】
この態様に関しても、提案された靴は予め知っている解決策と比較して利点を有する。
【００１９】
よって、着用者の脚において靴の紐を結ぶのに適切である、アッパーの編み部分は、締め紐のための通路を画定するように設計されかつ寸法合わせされた複数のループまたは経路（トンネル）と共に外面に与えられる。ループは、編地から下にループが引き出されることを回避するために、編地としっかり連結されるように作られる。
【００２０】
二層編地（ダブルジャージー）が好ましく、この場合、ループは上層から外に出ている。底層は平坦であり、これによって、生地全体の安定性が保証される。さらには複数のループ（管、経路、またはトンネル）を支える単一層（シングルジャージ）としての編地も可能である。
【００２１】
アッパーは、完全に編地で構成可能である。
【００２２】
ループを形成する編み管状体は、周知の方法によって製造可能であるループを形成し、そのため、具体的な説明はここでは必要ではない。対応する編み機上でのループの編成を可能にするいわゆるオットマンスティッチを参照する。
【００２３】
（好ましくはポリエステルまたはポリアミドから作られる）編み基材、および編み糸におけるフィラメント数は引張強度を定めることが分かった。また、ループ（経路、管）の長さは安定性に関してそれぞれ影響を与える。それ故に、具体的な大きな力が当然予想される運動のタイプの場合にループの長さを拡大することを考慮に入れることができる。
【００２４】
編成技法に関して、好ましい方法として、アッパーを右側から左側に（すなわち、アッパーの側面から内側に（またはこの逆も同様に）編成することがあることは述べられるべきであり、通常は、アッパーは靴のつま先からかかとへと（またはこの逆も同様に）編成される。
【００２５】
図面において、本発明の実施形態が示される。
【図面の簡単な説明】
【００２６】
【図１】運動靴の側面図
【図２】本発明の第１の実施形態によるアッパーの上側の一部の斜視図
【図３】締め紐がループを通ることを図２に従って示す説明図
【図４】本発明の第２の実施形態によるアッパーの上側の一部の斜視図
【図５】締め紐がループを通ることを図４に従って示す説明図
【発明を実施するための形態】
【００２７】
図１において、運動靴である靴１が示されている。靴１はアッパー２、およびアッパー２と連結されるソール７を有する。この場合、アッパー２は完全に編地から成る。着用者の脚において靴の紐を個々に結ぶことを可能にする具体的な設計が提供される。
【００２８】
図１から見ることができるように、複数のループ３がアッパー２の外面に配置されている。ループ３も編地から成り、かつ、アッパー２の基層と共に単体編み構造を形成する。
【００２９】
それぞれのループ３は、経路またはトンネルとしても画定可能である管状体として設計され、かつ締め紐４を通すように配置される。よって、それぞれのループ３は締め紐４のための通路８を形成する（図２および図４を参照）。
【００３０】
図１からまた見ることができるように、複数のループ３は具体的なパターンに従ってアッパー２の外側に分布しており、いくつかのループ３は、軸方向ａに沿って一直線に配置される。いくつかのこのようなループ３のセットは、上記の軸方向ａに垂直にある特定の距離で配置される（詳細は図２および図３を参照）。
【００３１】
すなわち、締め紐４を各ループ３に通すことで、靴１が着用者の脚における個々の要求に従って紐が結ばれ得るような複数の可能性が示される。
【００３２】
ループ３の幾何学的形状に関する詳細は、図２および図３から明らかになる。ここで、それぞれのループ３が中空筒状体を形成する、すなわち、ループ３が管形状を有することを見ることができる。それぞれのループ３は、外径Ｄおよび内径ｄ、ならびに、ループ３の軸方向に伸張する長さｃを有する。
【００３３】
図２は、締め紐４がないアッパー２の上面を示し、締め紐４は図３におけるループ３を通る。
【００３４】
図２から、いくつかのループ３が同軸状に配置可能である、すなわち、いくつかのループ３の軸方向ａが同一であることが明らかになる。いくつかのこれらのループ３の列は、並んで、すなわち、軸方向ａに垂直に測定される距離ｂで互いに平行に配置される。
【００３５】
ループ３の軸方向は、実質的に、靴１の縦方向Ｌに配向されている（図１を参照）。すなわち、軸方向ａは、３０度を下回る、好ましくは２５度を下回る縦方向Ｌに対する小さい角度αのみを成す。これによって、最適に締め紐４を通すこと、およびループ３からアッパー２に力を良好に伝えることが可能になる。
【００３６】
図２および図３による実施形態では、アッパー２は単一層の編地（シングルジャージ）のみを有する。図４および図５において、アッパー２が、２つの層５および６、すなわち、アッパー２の上層５、およびアッパー２の底層６から成る（ダブルジャージー）一実施形態が示される。ループ３は上層５による単体編み構造として形成され、底層６はループ３ではなく上層５と連結される。
【００３７】
図１による描写は、ループ３の寸法に関しておおむね縮尺通りである一実施形態を示す。
【００３８】
ループ３を含むアッパー２の編み構造全体は編み機上で製造可能であり、この編み機は、それ自体が周知であり、かつアッパー２を経済的に製造することができる。
【符号の説明】
【００３９】
１  靴
２  アッパー
３  ループ
４  締め紐
５  アッパーの上層
６  アッパーの底層
７  ソール
８  通路
Ｄ  ループの外径
ｄ  ループの内径
ｃ  ループの長さ
ａ  ループの軸方向
ｂ  ループ間の距離
Ｌ  靴の縦方向
α  角度
【図１】
0006921995.tif 000002
【図２】
0006921995.tif 000003
【図３】
0006921995.tif 000004
【図４】
0006921995.tif 000005
【図５】
0006921995.tif 000006